(57)【特許請求の範囲】
【請求項１】
結像レンズによって所定面に形成された１次像をカメラ本体に含まれる撮影レンズに導光し、前記カメラ本体に着脱可能なアタッチメント光学系であって、
前記所定面は、前記アタッチメント光学系に含まれる平行平板上に位置し、
前記アタッチメント光学系は、最も大きい空気間隔を隔てて、物体側から像側へ順に配置された、負の屈折力の第１レンズ群、正の屈折力の第２レンズ群からなり、
前記第１レンズ群は、像側に凹面を向けた負レンズを有し、前記第２レンズ群は、像側に凸面を向けた正レンズを有し、
前記第１レンズ群の焦点距離をｆ１、前記アタッチメント光学系の焦点距離をｆ、前記所定面から前記アタッチメント光学系の最も物体側のレンズ面までの距離をｄ１、前記アタッチメント光学系の最も物体側のレンズ面から最も像側のレンズ面までの距離をＬ、前記第１レンズ群と前記第２レンズ群の間隔をｄ、前記第２レンズ群に含まれる正レンズの像側のレンズ面の曲率半径をＲｐ２、前記第１レンズ群に含まれる負レンズの像側のレンズ面の曲率半径をＲｎ２とするとき、
−３．５＜ｆ１／ｆ＜−０．１
０．１＜ｄ１／Ｌ＜１．６
０．１１≦ｄ／ｆ＜１．０
０．５＜｜Ｒｐ２／Ｒｎ２｜＜５．０
なる条件式を満足することを特徴とするアタッチメント光学系。
【請求項２】
前記第２レンズ群の焦点距離をｆ２とするとき、
０．１＜ｆ２／ｆ＜１．８
なる条件式を満足することを特徴とする請求項１に記載のアタッチメント光学系。
【請求項３】
被写体像を前記所定面に結像する結像レンズと、カメラ本体と、前記結像レンズと前記カメラ本体との間に取り外し可能に装着される請求項１または２に記載のアタッチメント光学系とを有することを特徴とする撮像装置。
【請求項４】
前記撮像装置において得られた画像に対して画像処理を行うことで、前記撮像装置に含まれる光学系によって生じる収差を補正する補正手段を有することを特徴とする請求項３に記載の撮像装置。
【発明の詳細な説明】
【技術分野】
【０００１】
本発明は、結像レンズによって、所定面に結像した１次像からの光束を、カメラ本体内の撮影レンズに導光する、カメラ本体の物体側に着脱可能に装着するアタッチメント光学系に関する。
【背景技術】
【０００２】
デジタルカメラ、ビデオカメラ等の撮像装置においてはＣＣＤセンサ等の固体撮像素子の小型化が進み、それと共に、撮像装置全系の小型化が進んでいる。撮像素子の有効径が小さくなると同じ画角を撮影するためには撮影レンズの焦点距離が短くなる。撮影レンズの焦点距離が短くなると、それに伴って被写界深度が深くなってくる。このため、小型化を図った撮像装置では３５ｍｍカメラのような大きな撮像素子を有する撮像装置を用いたときのように背景をぼかした画像を得ることが困難になってきている。
【０００３】
小さな有効面の撮像素子を用いた撮像装置において、３５ｍｍカメラと同等の被写界深度の浅い画像を得るようにした光学系が知られている（特許文献１）。特許文献１では結像レンズにより、被写界深度の浅い画像を３５ｍｍカメラの撮像素子と同程度の大きさの拡散特性を持った平行平板に結像させる。そして平行平板に結像した１次像をカメラ本体内の撮影レンズで近接撮影して、被写界深度の浅い画像を得るようにしている。
【０００４】
一方、顕微鏡対物レンズによる１次像をデジタルカメラに内蔵した撮影レンズで再結像させるために、対物レンズと撮影レンズの間にリレー光学系としてアタッチメント光学系を配置した撮像装置が知られている（特許文献２）。
【先行技術文献】
【特許文献】
【０００５】
【特許文献１】特表２００４−５３８４９９号公報
【特許文献２】特開２００１−１０００９３号公報
【発明の概要】
【発明が解決しようとする課題】
【０００６】
結像レンズと撮影レンズとの間に着脱可能に装着し、結像レンズによって所定面に結像した１次像からの光束を撮影レンズに導光するためのアタッチメント光学系には、全体が小型でかつ良好なる光学性能を有することが要望されている。特許文献２に開示されたリレー光学系は、１次結像側から負の屈折力の第１レンズ群、正の屈折力の第２レンズ群からなっている。
【０００７】
そして第１、第２レンズ群のレンズ構成を適切に設定して対物レンズにより形成された像をデジタルカメラ側へ導光している。特許文献２のリレー光学系は、例えば第１、第２レンズ群を１次結像面の大きさで正規化した場合、各レンズ群の焦点距離が長いため、全長が長くなり、全系が大型化する傾向がある。
【０００８】
結像レンズと撮影レンズとの間に配列されるアタッチメント光学系には、撮影レンズで高い光学性能を有して再結像できるようにアタッチメント光学系が高い光学性能を有するようにレンズ構成を適切に設定することが重要になってくる。特に第１レンズ群の全体に占めるパワーや、光学全長等を適切に設定することが重要で、これらが不適切であると、全系の小型化を図りつつ、良好なる画像を得ることが困難になってくる。
【０００９】
本発明は、所定面に形成された１次像を撮影レンズで再結像するとき、全系が小型で良好なる光学性能を維持しつつ、１次像からの光束を撮影レンズに導光することができるアタッチメント光学系を提供することを目的とする。
【課題を解決するための手段】
【００１０】
本発明のアタッチメント光学系は、結像レンズによって所定面に形成された１次像をカメラ本体に含まれる撮影レンズに導光し、前記カメラ本体に着脱可能なアタッチメント光学系であって、
前記所定面は、前記アタッチメント光学系に含まれる平行平板上に位置し、
前記アタッチメント光学系は、最も大きい空気間隔を隔てて、物体側から像側へ順に配置された、負の屈折力の第１レンズ群、正の屈折力の第２レンズ群からなり、
前記第１レンズ群は、像側に凹面を向けた負レンズを有し、前記第２レンズ群は、像側に凸面を向けた正レンズを有し、
前記第１レンズ群の焦点距離をｆ１、前記アタッチメント光学系の焦点距離をｆ、前記所定面から前記アタッチメント光学系の最も物体側のレンズ面までの距離をｄ１、前記アタッチメント光学系の最も物体側のレンズ面から最も像側のレンズ面までの距離をＬ、前記第１レンズ群と前記第２レンズ群の間隔をｄ、前記第２レンズ群に含まれる正レンズの像側のレンズ面の曲率半径をＲｐ２、前記第１レンズ群に含まれる負レンズの像側のレンズ面の曲率半径をＲｎ２とするとき、
−３．５＜ｆ１／ｆ＜−０．１
０．１＜ｄ１／Ｌ＜１．６
０．１１≦ｄ／ｆ＜１．０
０．５＜｜Ｒｐ２／Ｒｎ２｜＜５．０
なる条件式を満足することを特徴としている。
【発明の効果】
【００１１】
本発明によれば、所定面に形成された１次像を撮影レンズで再結像するとき、全系が小型で良好なる光学性能を維持しつつ、１次像からの光束を撮影レンズに導光することができるアタッチメント光学系が得られる。
【図面の簡単な説明】
【００１２】
【図１】実施例１のアタッチメント光学系を撮影レンズに装着したときのレンズ断面図
【図２】実施例１のアタッチメント光学系を撮影レンズに装着したときの収差図
【図３】実施例２のアタッチメント光学系を撮影レンズに装着したときのレンズ断面図
【図４】実施例２のアタッチメント光学系を撮影レンズに装着したときの収差図
【図５】実施例３のアタッチメント光学系を撮影レンズに装着したときのレンズ断面図
【図６】実施例３のアタッチメント光学系を撮影レンズに装着したときの収差図
【図７】実施例４のアタッチメント光学系を撮影レンズに装着したときのレンズ断面図
【図８】実施例４のアタッチメント光学系を撮影レンズに装着したときの収差図
【図９】実施例５のアタッチメント光学系を撮影レンズに装着したときのレンズ断面図
【図１０】実施例５のアタッチメント光学系を撮影レンズに装着したときの収差図
【図１１】実施例６のアタッチメント光学系を撮影レンズに装着したときのレンズ断面図
【図１２】実施例６のアタッチメント光学系を撮影レンズに装着したときの収差図
【図１３】参考例１のアタッチメント光学系を撮影レンズに装着したときのレンズ断面図
【図１４】参考例１のアタッチメント光学系を撮影レンズに装着したときの収差図
【図１５】実施例７のアタッチメント光学系を撮影レンズに装着したときのレンズ断面図
【図１６】実施例７のアタッチメント光学系を撮影レンズに装着したときの収差図
【図１７】本発明の撮像装置の要部概略図
【図１８】平行平板からレンズ群に入射する軸外主光線の違いによるレンズ径の比較
【発明を実施するための形態】
【００１３】
本発明のアタッチメント光学系及びそれを有する撮像装置について説明する。本発明のアタッチメント光学系は、結像レンズとカメラ本体に含まれる撮影レンズとの間であって、カメラ本体に取り外し可能（着脱可能）に装着される。そして結像レンズによって所定面に形成された１次像をカメラ本体内の撮影レンズに導光する。所定面はアタッチメント光学系に含まれる平行平面上に位置する。撮影レンズは所定面に形成された１次像をアタッチメント光学系を介して撮像素子に再結像する。アタッチメント光学系は、最も大きい空気間隔を隔てて、物体側から像側へ順に負の屈折力の第１レンズ群、正の屈折力の第２レンズ群からなっている。
【００１４】
図１、図３、図５、図７、図９、図１１は本発明の実施例１乃至６のアタッチメント光学系を一例として選んだ撮影レンズ１の物体側に着脱可能に装着したときのレンズ断面図である。
【００１５】
図１３は本発明の参考例１のアタッチメント光学系を一例として選んだ撮影レンズ２の物体側に着脱可能に装着したときのレンズ断面図である。図１５は本発明の実施例７のアタッチメント光学系を一例として選んだ撮影レンズ３の物体側に着脱可能に装着したときのレンズ断面図である。図１７は本発明のアタッチメント光学系を結像レンズとカメラ本体との間であって、カメラ本体に着脱可能に装着したときの概略図である。
【００１６】
レンズ断面図において、Ａｔはアタッチメント光学系であり、最も広い空気間隔を隔てて負の屈折力の第１レンズ群Ａｎと、正の屈折力の第２レンズ群Ａｐを有している。アタッチメント光学系Ａｔは更に拡散性のある平行平板２１を有する。Ｚｍはアタッチメント光学系Ａｔを装着するカメラ本体内の撮影レンズである。撮影レンズＺｍにおいてＳＰは絞り又は光量調整装置、ＧＢはフェースプレートやローパスフィルター等のガラスブロック、ＩＰは像面であり、撮像素子が配置されている。
【００１７】
レンズ断面図において左方が物体側で右方が像側である。各実施例では結像レンズによって所定面に結像された１次像（例えば拡散板に形成された像）をアタッチメント光学系Ａｔと撮影レンズＺｍによって像面ＩＰに再結像している。
【００１８】
図２、図４、図６、図８、図１０、図１２、図１４、図１６はそれぞれ、本発明の実施例１乃至６、参考例１、実施例７で示すアタッチメント光学系を撮影レンズに装着した状態での諸収差図である。収差図において、ｄ、ｇはｄ線及びｇ線、ΔＭ、ΔＳはメリジオナル像面、サジタル像面、倍率色収差はｇ線によって表している。また、Ｆｎｏ．はＦナンバー、ωは半画角（度）である。非点収差においてはｄ線におけるΔＭ、ΔＳを表示し、歪曲収差においてはｄ線を表示し、倍率色収差においてはｄ線に対するｇ線の収差を表示している。
【００１９】
次に本発明のアタッチメント光学系を用いた撮像装置の実施例について図１７を用いて説明する。図１７において１０は結像レンズであり、物体（被写体）を所定面、例えば拡散性のある平行平板よりなる拡散板（所定面）２１に１次像（物体像）を結像（形成）している。
【００２０】
２０はアタッチメント光学系であり、カメラ本体３０の物体側（結像レンズ１０側）に取り外し可能に装着され、結像レンズ１０によって所定面２１に結像した物体像からの光束を後続する撮影レンズ３１に導光している。アタッチメント光学系２０は負の屈折力の第１レンズ群２２と正の屈折力の第２レンズ群２３を有している。３０はカメラ本体であり、撮影レンズ３１と撮影レンズ３１によって形成された像を受光するＣＣＤセンサやＣＭＯＳセンサなどの固体撮像素子（撮像素子）３２を内蔵している。
【００２１】
本実施例において結像レンズ１０、アタッチメント光学系２０は、カメラ本体３０の物体側に着脱可能である。尚、拡散特性をもった拡散板２１とアタッチメント光学系２０を一体化してカメラ本体３０に対して着脱可能な構成としても良い。
【００２２】
本実施例では、結像レンズ１０によって拡散板２１に結像した１次像（物体像）をアタッチメント光学系２０を介してカメラ本体３０内の撮影レンズ３１によって撮像素子（ＣＣＤ）３２に再結像している。尚、拡散板２１を用いずに結像レンズ１０によって形成される空中像をアタッチメント光学系２０を介してカメラ本体３０内の撮影レンズ３１によって撮像素子３２に再結像しても良い。
【００２３】
以上のように本実施例によればアタッチメント光学系２０をビデオカメラ等の撮像素子３２を有した撮像装置３０に適用することで、小型で高い光学性能を有する撮像装置を実現している。
【００２４】
各実施例では、有効撮像面積が小さな撮像素子を用いた撮像装置において、拡散板に結像した１次像をカメラ本体内の撮影レンズで近接撮影し、これにより被写界深度の浅い画像を得ている。このとき、撮影レンズの入射瞳とアタッチメント光学系の射出瞳を画面周辺光量を確保するために光軸方向で近い位置に配置する必要がある。そうしないと画面周辺光量が不足したり、光束のケラレが多くなってくる。一般にビデオカメラやデジタルカメラなどに用いられる撮影レンズの入射瞳はレンズ系内部に位置する。
【００２５】
このため、アタッチメント光学系は、それからの軸外光束が収束するように構成する必要がある。そのためのレンズ構成として、各実施例ではアタッチメント光学系を最も大きい空気間隔を隔てて、物体側から順に負の屈折力の第１レンズ群と、正の屈折力の第２レンズ群の２群から構成している。２群構成とした場合に、各レンズ群の屈折力配置として、正と正、正と負、負と正、負と負の屈折力のレンズ群よりなる４通りがある。第２レンズ群を負の屈折力を持ったレンズ群とすると、第１レンズ群への軸外光線の入射高さが高くなり、レンズ径が大きくなるため好ましくない。
【００２６】
そのため第２レンズ群を正の屈折力のレンズ群としている。また、第２レンズ群が正の屈折力を持つため、色収差や歪曲収差の補正のために第１レンズ群を負の屈折力のレンズ群としている。また、各実施例のアタッチメント光学系は、拡散特性をもった平行平板からなる拡散板２１からの光束のうち第１レンズ面へ入射する軸外主光線が図１８（ｂ）に示すように、収束するように入射している。これにより図１８（ａ）のように軸外光線が光軸に対して平行に入射する場合に比べてレンズ径を小型化することができる。
【００２７】
次に各実施例のアタッチメント光学系Ａｔの特徴について説明する。アタッチメント光学系Ａｔは最も大きい空気間隔を隔てて、物体側から像側へ順に負の屈折力の第１レンズ群Ａｎ、正の屈折力の第２レンズ群Ａｐからなる。第１レンズ群Ａｎの焦点距離をｆ１、アタッチメント光学系Ａｔの焦点距離をｆとする。所定面からアタッチメント光学系Ａｔの最も物体側のレンズ面までの距離をｄ１とする。アタッチメント光学系Ａｔの最も物体側のレンズ面から最も像側のレンズ面までの距離をＬとする。
【００２８】
このとき、
−３．５＜ｆ１／ｆ＜−０．１    ・・・（１）
０．１＜ｄ１／Ｌ＜１．６        ・・・（２）
なる条件式を満足している。
【００２９】
条件式（１）は負の屈折力の第１レンズ群Ａｎの焦点距離を適切に規定するものである。条件式（１）の下限を超えて第１レンズ群Ａｎの焦点距離が長くなりすぎると、レンズ全長（第１レンズ面から像面までの長さ）が長くなってしまうため好ましくない。一方、上限を超えて第１レンズ群Ａｎの焦点距離が短くなりすぎると、第１レンズ群Ａｎ内から像面湾曲が多く発生し、これを第２レンズ群Ａｐで補正することが困難となる。
【００３０】
条件式（２）は拡散板２１からアタッチメント光学系Ａｔの最も物体側のレンズ面までの距離を規定するものである。条件式（２）の下限を超えて拡散板２１からアタッチメント光学系Ａｔの最も物体側のレンズ面までの距離が短くなりすぎると、第１レンズ群Ａｎに入射する軸外光線の入射高さが高くなってしまう。その結果、第１レンズ群Ａｎで像面湾曲や歪曲収差の発生量が多くなり、これらを第２レンズ群Ａｐでの補正するのが困難となる。
【００３１】
一方、上限を超えて拡散板２１からアタッチメント光学系Ａｔの第１レンズ面までの距離が長くなりすぎると、光学系の全長（第１レンズ面から最終レンズ面までの距離）が長くなってしまうため好ましくない。
【００３２】
各実施例において、更に好ましくは次の諸条件のうちの１以上を満足するのが良い。第２レンズ群Ａｐの焦点距離をｆ２とする。第１レンズ群Ａｎと第２レンズ群Ａｐの間隔をｄとする。第１レンズ群Ａｎは、像側に凹面を向けた負レンズを有し、第２レンズ群Ａｐは、像側に凸面を向けた正レンズを有する。そして、正レンズの像側のレンズ面の曲率半径をＲｐ２、負レンズの像側のレンズ面の曲率半径をＲｎ２とする。このとき、次の諸条件のうちの１以上を満足するのが良い。
【００３３】
０．１＜ｆ２／ｆ＜１．８            ・・・（３）
０．１１≦ｄ／ｆ＜１．００          ・・・（４）
０．５＜｜Ｒｐ２／Ｒｎ２｜＜５．０  ・・・（５）
条件式（３）は第２レンズ群Ａｐの焦点距離を適切に規定するものである。条件式（３）の下限を超えて第２レンズ群Ａｐの焦点距離が短くなりすぎると像面湾曲や歪曲収差が多く発生してくる。一方、上限を超えて第２レンズ群Ａｐの焦点距離が長くなりすぎると、レンズ全長が長くなってしまう。
【００３４】
条件式（４）はアタッチメント光学系Ａｔの第１レンズ群Ａｎと第２レンズ群Ａｐの間隔を規定するものである。条件式（４）の下限を超えて各レンズ群の間隔が短くなりすぎると、各レンズ群の焦点距離が短くなる。その結果、収差補正が困難となり、レンズ枚数を増やさなければならず、レンズ全長が長くなってくる。一方、上限を超えて各レンズ群の間隔が長くなりすぎると、レンズ全長が長くなる。
【００３５】
また好ましくはアタッチメント光学系Ａｔの第１レンズ群Ａｎには像側に凹面を向けた負レンズを少なくとも１枚含み、第２レンズ群Ａｐには像側に凸面を向けた正レンズを少なくとも１枚含むのが良い。そして条件式（５）を満足することが望ましい。
【００３６】
条件式（５）はアタッチメント光学系Ａｔの第１レンズ群Ａｎに含まれる負レンズと第２レンズ群Ａｐ中に含まれる正レンズのレンズ形状を規定するものである。条件式（５）を満足することで、諸収差を良好に補正することが容易となる。負レンズと正レンズの像側のレンズ面は曲率が比較的きつく、軸外光線の射出角が大きいため非点隔差や歪曲収差等の高次成分の収差が多く発生する。そのため条件式（５）でレンズ面の曲率を適切に規定することでこれらの収差の発生を軽減する効果がある。
【００３７】
条件式（５）の下限を超えると負レンズの像側のレンズ面の凹面の曲率がきつくなり、負レンズから発生する非点隔差や歪曲を第２レンズ群Ａｐで補正することが困難となる。逆に上限を超えると正レンズの像側のレンズ面の曲率がきつくなり、正レンズで非点隔差や歪曲等が多く発生し、これらを第２レンズ群Ａｐ内で補正をすることが困難となる。尚、更に好ましくは条件式（１）乃至（５）の数値範囲を次の如く設定するのが良い。
【００３８】
−３．２＜ｆ１／ｆ＜−０．１      ・・・（１ａ）
０．１＜ｄ１／Ｌ＜１．４          ・・・（２ａ）
０．２＜ｆ２／ｆ＜１．４          ・・・（３ａ）
０．１１≦ｄ／ｆ＜０．８０        ・・・（４ａ）
０．７＜｜Ｒｐ２／Ｒｎ２｜＜４．０・・・（５ａ）
また、さらに好ましくは条件式（１ａ）乃至（５ａ）の数値範囲を次の如く設定すると、先に述べた各条件式が意味する効果を最大限に得られる。
【００３９】
−２．８＜ｆ１／ｆ＜−０．２      ・・・（１ｂ）
０．２＜ｄ１／Ｌ＜１．２          ・・・（２ｂ）
０．３＜ｆ２／ｆ＜０．９          ・・・（３ｂ）
０．１１≦ｄ／ｆ＜０．６０        ・・・（４ｂ）
０．９＜｜Ｒｐ２／Ｒｎ２｜＜３．２・・・（５ｂ）
各実施例では以上のように各レンズ群を構成することによって、諸収差を良好に補正しながら、レンズ全長の短い小型のアタッチメント光学系を得ている。
【００４０】
また、本発明のアタッチメント光学系および撮影レンズと、それらの光学系により形成された像を受光する撮像素子を有した撮像装置を構成することができる。近年はデジタル的に像を処理するために撮像素子としてＣＣＤ(Charge Coupled Device)やＣＭＯＳ(Complementary Metal Oxide Semiconductor)などが主に使用されている。各実施例もこれに相当する撮像素子を用いて撮像装置を構成している。
【００４１】
さらに、各実施例の撮像装置においては、撮像装置において得られた画像に対して画像処理を行うことで光学系によって生ずる収差を補正する補正手段を有する。これは、銀塩フィルムとは異なり、デジタルカメラなどでは画像をデジタルデータとして取得できるという特性を利用し、撮影レンズから得られた画像に対して画像変換処理を施し、諸収差を低減させた画像を得ている。電気的な収差補正には、電子歪曲収差補正や電子倍率色収差補正がある。電子歪曲収差補正では、ズーム位置、被写体距離、像高ごとに決められた量だけ画像の拡大または縮小を行うことにより歪曲収差を低減して、歪みの少ない画像を得ている。
【００４２】
また、電子倍率色収差補正では撮像素子のカラーフィルターによって分けられた、赤色Ｒ、緑色Ｇ、青色Ｂの信号のうち、例えば緑色Ｇを基準とし、緑色Ｇに対する赤色Ｒ、青色Ｂのずれをズーム位置、被写体距離、像高に応じて各画素ごとに補正を行っている。これにより倍率色収差が少ない画像を得ている。これらの電気的な収差補正を行うことを前提とすることで、光学系全体のレンズ枚数を減らすことが容易となり、その結果レンズ全長の短縮化、レンズ系の小型化を実現している。また、非球面や異常分散ガラスを使用せずに良好な収差補正を容易にしている。
【００４３】
以上のように各実施例によれば、諸収差を良好に補正しながら、全長の短い小型のアタッチメント光学系を実現することができる。この他、撮像素子の小さい撮影レンズで被写界深度の浅い画像を諸収差を良好に補正しながら、得ることができる。
【００４４】
なお各実施例において以下のような構成をとっても良い。
・実施例に示したガラスの形状、枚数に限定されるものではなく、適宜変更すること。
・非球面レンズの材料はガラス材料に限らず、球面レンズ面上に樹脂材料で非球面を形成した（非球面成分を乗せた）ハイブリッドタイプの非球面レンズや、プラスチック材料より成る非球面レンズを用いること。
・一部のレンズおよびレンズ群を光軸に対して垂直方向の成分を持つように移動させ、これにより手ぶれ等の振動に伴う像ぶれを補正すること。
【００４５】
以上、本発明の好ましい実施形態について説明したが、本発明はこれらの実施形態に限定されず、その要旨の範囲内で種々の変形及び変更が可能である。例えば、本発明のアタッチメント光学系は上述の実施例で示した撮影レンズ以外にも装着可能であり、撮影レンズのズームポジションも変更可能である。
【００４６】
次に本発明のアタッチメント光学系の実施例１乃至６、参考例１、実施例７に各々対応する数値実施例１乃至８を示す。また撮影レンズ１乃至３の数値実施例１乃至３を示す。各数値実施例においてｉは物体側からの面の順番を示す。ｒｉは物体側から第ｉ番目の面の曲率半径、ｄｉは物体側から第ｉ番目の面と第ｉ＋１番目の面との間の面間隔、ｎｄｉは第ｉ番目のレンズの材料のｄ線における屈折率、νｄｉは第ｉ番目のレンズのｄ線におけるアッベ数を示すものとする。
【００４７】
アタッチメント光学系の各実施例において焦点距離はアタッチメント光学系の値である。またレンズ全長は第１レンズ面から最終レンズ面までの距離である。撮影レンズ１〜３においてレンズ全長はレンズ最前面からレンズ最終面までの距離にバックフォーカスを加えた値である。ＢＦ（バックフォーカス）はレンズ最終面から近軸像面までの距離を空気換算長により表したものである。非球面形状は、光軸方向にX軸、光軸と垂直方向H軸、光の進行方向を正とし、Rを近軸曲率半径、各非球面係数をＫ、Ａ３、Ａ４、Ａ５、Ａ６、Ａ７、Ａ８、Ａ９、Ａ１０、Ａ１１、Ａ１２としたとき、
【００４８】
【数１】
0005871554.tif 000002
【００４９】
なる式で表している。
【００５０】
また、例えば「e−Z」の表示は「10−Z」を意味する。尚、非球面は各表中の面番号の右側に＊印を付している。また撮影レンズの各数値実施例において最も像側の２面は光学ブロックＧに相当する平面である。表１に各実施例において平行平板の拡散板からアタッチメント光学系の最も物体側のレンズ面までの光路上の距離を示す。表２に前述の各条件式と各数値実施例における諸数値との関係を示す。
【００５１】
●アタッチメント光学系
［数値実施例１］
単位 mm
面データ
面番号       r        d      nd         νd
1          ∞       4.57   1.83400    37.2           
2        -65.476    3.83                             
3       -166.712    1.80   1.80518    25.4           
4         24.221   26.31                             
5        109.568    1.90   1.92286    18.9           
6         60.473    9.99   1.80400    46.6           
7        -47.520   12.50                             
各種データ
焦点距離      68.96
レンズ全長    48.40
【００５２】
［数値実施例２］
単位 mm
面データ
面番号       r        d      nd         νd
1      -1103.187    2.83   1.92286    18.9           
2         32.660   12.12                               
3         63.471   10.83   1.71300    53.9           
4        -44.074   12.50                               
各種データ
焦点距離      106.24  
レンズ全長     25.78  
【００５３】
［数値実施例３］
単位 mm
面データ
面番号       r        d      nd         νd
1       3852.940    3.72   1.83481    42.7           
2       -112.114    9.73                             
3       -173.321    1.81   1.84666    23.9           
4         28.983   19.62                             
5         71.579    8.19   1.71300    53.9           
6        -51.894   12.50                              
各種データ
焦点距離      102.30  
レンズ全長    43.07  
【００５４】
単位 mm
面データ
面番号       r        d      nd         νd
1        138.810    1.80   1.80518    25.4           
2         26.944    6.02                             
3       -226.440    2.81   1.83400    37.2           
4        -88.376   25.00                               
5        139.371    1.90   1.94595    18.0           
6         72.292    8.07   1.77250    49.6           
7        -49.354   12.50                           
各種データ
焦点距離      62.50  
レンズ全長    45.60  
【００５５】
［数値実施例５］
単位 mm
面データ
面番号       r        d      nd         νd
1        111.387    2.17   1.48749    70.2           
2         28.153   33.51                               
3         68.774    1.92   1.84666    23.9           
4         37.937   11.44   1.71300    53.9           
5        -72.421   15.36                               
各種データ
焦点距離      73.08  
レンズ全長    49.04  
【００５６】
［数値実施例６］
単位 mm
面データ
面番号       r        d      nd         νd
1         88.287    9.56   1.88300    40.8           
2        -39.005    1.95   1.84666    23.9           
3         25.088   19.62                             
4         64.443    9.81   1.71300    53.9           
5        -49.924   12.50                             
各種データ
焦点距離      72.41  
レンズ全長    40.94  
【００５７】
［数値実施例７］
単位 mm
面データ
面番号       r        d      nd         νd
1         33.181    2.00   1.94595    18.0           
2         24.556    4.27                             
3         32.837   10.97   1.71300    53.9           
4        -64.602   16.68                             
各種データ
焦点距離       43.05  
レンズ全長     17.24  
【００５８】
［数値実施例８］
単位 mm
面データ
面番号       r        d      nd         vd
1        -62.258    2.14   2.00069    25.5           
2         77.830   17.84                             
3       1215.956    8.46   1.51633    64.1           
4        -65.170   18.03                             
5        135.361    2.00   1.92286    18.9           
6         71.735    8.91                             
7        104.054   18.35   1.78590    44.2           
8        -93.982    4.91                          
各種データ
焦点距離      110.20  
レンズ全長    75.73  
【００５９】
●撮影レンズデータ
〈撮影レンズ1〉
単位 mm
面データ
面番号       r        d      nd         νd
1         35.695    1.25   1.84666    23.9           
2         22.657    5.00   1.48749    70.2           
3       -329.377    0.20                             
4         20.944    3.21   1.60311    60.6           
5         69.353  (可変)                             
6         57.970    0.70   1.88300    40.8           
7          6.660    2.73                             
8        -20.442    0.60   1.48749    70.2           
9         13.859    0.82                             
10         11.989    1.39   1.92286    18.9           
11         28.809  (可変)                             
12*        10.325    3.22   1.58313    59.4           
13        -44.676    1.45                             
14(絞り)    ∞       2.25                             
15         87.302    0.60   1.76182    26.5           
16          8.926    0.43                             
17*        12.887    2.13   1.58313    59.4           
18        -72.475  (可変)                             
19         16.345    2.25   1.80400    46.6           
20        -21.144    0.60   1.84666    23.9           
21       -382.028  (可変)                             
22          ∞       1.94   1.51633    64.1           
23          ∞       1.00                            
像面        ∞   
【００６０】
非球面データ
第12面
K =-1.07783e+000  A 4= 8.19258e-006  A 6=-2.80408e-007 
A 8= 1.80519e-009  A10=-2.77065e-011  
第17面
K = 2.68490e+000  A 4=-1.85266e-004  A 6=-9.61889e-007 
A 8=-2.57003e-008  
各種データ
ズーム比      9.81 
広角     中間     望遠
焦点距離       6.60    27.48    64.77  
Fナンバー      1.85     2.70     3.00  
半画角（度）   27.87     7.24     3.09  
像高           3.49     3.49     3.49  
レンズ全長    65.84    65.84    65.84  
BF            10.10    13.48     5.90  
d 5            0.70    15.06    20.10  
d11           20.24     5.88     0.84  
d18            5.98     2.60    10.18  
d21            7.82    11.20     3.62  
ズームレンズ群データ
群  始面    焦点距離  
1    1      34.05  
2    6      -7.75  
3   12      18.85  
4   19      20.27  
【００６１】
〈撮影レンズ2〉
単位 mm
面データ
面番号       r        d      nd         νd
1         37.258    1.05   1.80518    25.4           
2         18.480    4.21   1.69680    55.5           
3       -651.893    0.25                             
4         18.345    1.80   1.69680    55.5           
5         29.550  (可変)                             
6         27.500    0.60   1.83481    42.7           
7          4.076    1.72                             
8        -45.434    0.60   1.80400    46.6           
9          7.660    0.75                             
10          7.275    1.29   1.92286    18.9           
11         17.489  (可変)                             
12(絞り)    ∞       1.10                             
13*         9.929    2.75   1.58313    59.4           
14*       -21.867    0.65                             
15         12.114    0.60   1.84666    23.9           
16          7.614  (可変)                             
17         13.393    2.90   1.51823    58.9           
18         -5.225    0.60   1.84666    23.9           
19         -8.241  (可変)                             
20          ∞       2.13   1.51633    64.1           
21          ∞       1.26                             
像面        ∞   
【００６２】
非球面データ
第13面
K =-1.18213e+000  
A 5= 2.41938e-006  A 7=-4.67393e-007  A 9= 1.84465e-008  
第14面
K =-1.33778e+001  
A 5=-1.79477e-006  
各種データ
ズーム比     34.54 
広角     中間     望遠
焦点距離       2.66    15.08    91.98  
Fナンバー      2.06     2.46     5.25  
半画角（度）   28.91     5.57     0.92  
像高           1.47     1.47     1.47  
レンズ全長    60.99    60.99    60.99  
BF             8.64    12.70     4.88  
d 5            0.65    15.94    22.49  
d11           23.14     7.85     1.30  
d16            7.68     3.62    11.45  
d19            5.97    10.04     2.21  
ズームレンズ群データ
群  始面    焦点距離  
1    1      31.50  
2    6      -4.49  
3   12      18.89  
4   17      13.11  
【００６３】
〈撮影レンズ3〉
単位 mm
面データ
面番号       r        d      nd         νd
1        279.974    3.20   1.84666    23.9           
2         78.637    1.78                             
3        103.173    7.87   1.59319    67.9           
4       -482.657    0.20                             
5         59.095    8.61   1.49700    81.5           
6        503.967    0.20                             
7         54.154    4.55   1.83481    42.7           
8        110.728  (可変)                             
9         67.985    1.15   2.00069    25.5           
10         10.925    3.84                             
11        111.580    1.00   1.85135    40.1           
12*        30.012    2.66                             
13        -26.566    0.85   1.77250    49.6           
14         40.759    0.86                             
15         31.027    3.10   1.94595    18.0           
16        -55.061  (可変)                             
17(絞り)    ∞       2.53                             
18         89.535    0.80   1.88300    40.8           
19         15.440    4.20   1.84666    23.9           
20        -25.249    0.14                             
21        -22.306    0.80   2.00330    28.3           
22         66.150  (可変)                             
23*        47.065    3.60   1.58313    59.4           
24*       -26.835    0.20                             
25       -205.644    2.00   1.48749    70.2           
26        -34.516    0.80   1.80518    25.4           
27       -229.787  (可変)                             
28*        30.536    3.60   1.58313    59.4           
29*       -48.513    0.20                             
30         90.175    0.90   1.92286    18.9           
31         28.749    3.50   1.51633    64.1           
32        -37.079  (可変)                             
33          ∞       3.26   1.51633    64.1           
34          ∞       1.50                             
35          ∞      20.00   1.58913    61.1           
36          ∞       2.74                             
像面        ∞   
【００６４】
非球面データ
第12面
K =-1.15140e+001  A 4= 5.79349e-005  A 6=-1.13010e-007 
A 8= 1.55836e-009  A10= 2.86348e-012  A12=-4.39464e-015  
第23面
K = 4.24639e+000  A 3= 1.88268e-005  A 5=-2.08701e-006 
A 7=-3.11766e-009  A 9= 1.51363e-010  A11=-8.73564e-013  
第24面
K =-4.83221e+000  A 3= 1.76699e-006  A 5=-3.72328e-006 
A 7= 2.17282e-008  A 9=-7.42060e-011  
第28面
K =-4.95770e-003  A 4= 1.93615e-005  A 6=-2.26752e-007 
A 8= 1.96720e-009  A10= 1.98174e-011  
第29面
K =-7.16370e+000  A 4= 3.03042e-005  A 6=-2.02825e-007 
A 8= 1.98951e-009  A10= 2.14017e-011  
各種データ
ズーム比     17.94 
広角     中間     望遠
焦点距離       4.32    24.24    77.54  
Fナンバー      2.46     2.43     2.44  
半画角（度）   35.02     7.12     2.24  
像高           3.03     3.03     3.03  
レンズ全長   153.99   153.99   153.99  
BF            23.28    27.16    24.14  
d 8            0.86    35.52    46.46  
d16           48.57    13.91     2.97  
d22            4.00     4.00     4.00  
d27           14.14    10.26    13.28  
d32            4.30     8.18     5.16  
ズームレンズ群データ
群  始面    焦点距離  
1    1      66.57  
2    9     -10.95  
3   17     -54.88  
4   23      38.58  
5   28      25.48
【００６５】
【表１】
0005871554.tif 000003
【００６６】
【表２】
0005871554.tif 000004
【符号の説明】
【００６７】
Ａｔ：アタッチメント光学系      Ａｐ：アタッチメント光学系の正群
Ａｎ：アタッチメント光学系の負群
Ｚｍ：アタッチメント光学系を装着する撮影レンズ
ＳＰ：絞り又は光量調整装置      ＧＢ：ガラスブロック      ＩＰ：像面    
ｄ：ｄ線      ｇ：ｇ線      Ｆｎｏ：Ｆナンバー      ω：半画角
ΔＳ：サジタル像面      ΔＭ：メリジオナル像面
【図１】
0005871554.tif 000005
【図５】
0005871554.tif 000006
【図７】
0005871554.tif 000007
【図９】
0005871554.tif 000008
【図１１】
0005871554.tif 000009
【図１５】
0005871554.tif 000010
【図２】
0005871554.tif 000011
【図３】
0005871554.tif 000012
【図４】
0005871554.tif 000013
【図６】
0005871554.tif 000014
【図８】
0005871554.tif 000015
【図１０】
0005871554.tif 000016
【図１２】
0005871554.tif 000017
【図１３】
0005871554.tif 000018
【図１４】
0005871554.tif 000019
【図１６】
0005871554.tif 000020
【図１７】
0005871554.tif 000021
【図１８】
0005871554.tif 000022